(57)【特許請求の範囲】
【請求項１】
画像を表示することが可能な表示部と、
ユーザの頭部に装着され、前記表示部をユーザの眼前に支持する装具と、
予め指定された正面方向を基準とする方向を検出方向として検出する検出部と、
前記検出方向に基づいてアプリケーションを選択するアプリケーション選択部と、
前記アプリケーション選択部によって選択されたアプリケーションによって生成された画像を前記表示部に表示させる情報管理部と
を具備し、
前記情報管理部は、前記検出方向が前記正面方向と異なるときに、複数のアプリケーションの出力画像をメニュー表示させ、
前記アプリケーション選択部は、前記検出方向が前記正面方向に一致したときに前記複数のアプリケーションから一つのアプリケーションを選択する
ヘッドマウントディスプレイ。
【請求項２】
請求項１に記載のヘッドマウントディスプレイであって、
前記情報管理部は、前記検出方向が前記正面方向と異なるときに、メニュー表示されている複数のアプリケーションの出力画像をスライドさせる
ヘッドマウントディスプレイ。
【請求項３】
請求項２に記載のヘッドマウントディスプレイであって、
前記検出部は、さらに、前記ヘッドマウントディスプレイの傾きを検出し、
前記情報管理部は、前記検出方向が前記正面方向と異なるときに、前記傾きに基づいてメニュー表示されている複数のアプリケーションの出力画像をスライドさせる
ヘッドマウンドディスプレイ。
【請求項４】
画像を表示することが可能な表示部と、ユーザの頭部に装着され前記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択するアプリケーション選択部と、
前記アプリケーション選択部によって選択されたアプリケーションによって生成された画像を前記表示部に表示させる情報管理部と
を具備し、
前記情報管理部は、前記検出方向が前記正面方向と異なるときに、複数のアプリケーションの出力画像をメニュー表示させ、
前記アプリケーション選択部は、前記検出方向が前記正面方向に一致したときに前記複数のアプリケーションから一つのアプリケーションを選択する
ヘッドマウントディスプレイ制御プログラム。
【請求項５】
アプリケーション選択部が、画像を表示することが可能な表示部と、ユーザの頭部に装着され前記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択し、
情報管理部は、前記アプリケーション選択部によって選択されたアプリケーションによって生成された画像を前記表示部に表示させるヘッドマウントディスプレイの制御方法であって、
前記情報管理部は、前記検出方向が前記正面方向と異なるときに、複数のアプリケーションの出力画像をメニュー表示させ、
前記アプリケーション選択部は、前記検出方向が前記正面方向に一致したときに前記複数のアプリケーションから一つのアプリケーションを選択する
ヘッドマウントディスプレイの制御方法。
【発明の詳細な説明】
【技術分野】
【０００１】
本技術は、アプリケーションの出力画像を切り替えて表示するヘッドマウントディスプレイ、ヘッドマウントディスプレイ制御プログラム及びヘッドマウントディスプレイの制御方法に関する。
【背景技術】
【０００２】
ユーザの頭部に装着され、眼前に配置されたディスプレイに画像を表示させるヘッドマウントディスプレイ（以下、ＨＭＤ）が知られている。ＨＭＤには、ディスプレイが外光を透過させず、表示画像のみをユーザに視覚させる非透過型ＨＭＤと、ディスプレイが外光を透過させ、表示画像をユーザの視界に重畳させる透過型ＨＭＤがある。例えば、特許文献１には、非透過型ＨＭＤである「視覚装置」が開示されている。
【先行技術文献】
【特許文献】
【０００３】
【特許文献１】特開平６−７８２４８号公報
【発明の概要】
【発明が解決しようとする課題】
【０００４】
特許文献１に記載のようなＨＭＤは、コントローラによって操作可能なものが一般的である。しかしながら、ＨＭＤの着用者は視界が限られている場合も多く、コントローラによる操作ではユーザビリティが問題となる。
【０００５】
以上のような事情に鑑み、本技術の目的は、ユーザビリティの高いヘッドマウントディスプレイ、ヘッドマウントディスプレイ制御プログラム及びヘッドマウントディスプレイの制御方法を提供することにある。
【課題を解決するための手段】
【０００６】
以上のような事情に鑑み、本技術の一形態に係るヘッドマウントディスプレイは、表示部と、装具と、検出部と、アプリケーション選択部と、情報管理部とを具備する。
上記表示部は、画像を表示することが可能である。
上記装具は、ユーザの頭部に装着され、上記表示部をユーザの眼前に支持する。
上記検出部は、予め指定された正面方向を基準とする方向を検出方向として検出する。
上記アプリケーション選択部は、上記検出方向に基づいてアプリケーションを選択する。
上記情報管理部は、上記アプリケーション選択部によって選択されたアプリケーションによって生成された画像を上記表示部に表示させる。
【０００７】
この構成によれば、ユーザがヘッドマウントディスプレイを、予め指定された正面方向から別の方向に向けることにより、アプリケーションが選択され、その出力画像が表示部表示される。即ち、ユーザは、ボタン等を用いた操作入力をすることなく、頭部を動かすだけでアプリケーションを切り替えることが可能であり、このヘッドマウントディスプレイは高いユーザビリティを有するものである。
【０００８】
上記表示部は、透過型ディスプレイであり、上記情報管理部は、上記検出方向が上記正面方向と異なるときに、上記画像を上記表示部に表示させてもよい。
【０００９】
この構成によれば、ユーザは、ヘッドマウントディスプレイを正面方向に向けているときには表示部を介して外部を見ることが可能である。一方ユーザは、必要に応じてヘッドマウントディスプレイを正面方向から別の方向に向けることにより、アプリケーションの出力画像を表示部に表示させることができる。したがって、ユーザは、何らかの作業（例えば料理）をしながら補助的にアプリケーションの出力画像（例えば料理のレシピ）を参照すること可能となる。
【００１０】
上記アプリケーション選択部は、上記正面方向から上記検出方向への遷移方向に応じて異なるアプリケーションを選択してもよい。
【００１１】
この構成によれば、ユーザは、ＨＭＤを正面方向から別方向に向ける際、その向ける方向（遷移方向）によって異なるアプリケーションの出力画像を参照することが可能となる。
【００１２】
上記アプリケーション選択部は、上記検出方向が上記正面方向と異なる方向で一定時間経過した場合には、選択されているアプリケーションを固定してもよい。
【００１３】
この構成によれば、ユーザが正面方向と異なる方向にＨＭＤを向け、一定時間が経過した場合には、以降、ＨＭＤを正面方向に戻しても、そのアプリケーションの出力画像が表示部に表示される。ユーザが一定時間同じ方向にＨＭＤを向けている場合には、ユーザはそのアプリケーションの出力画像を注視していると判断することができるため、ユーザの意図に従ったアプリケーションの選択が可能である。
【００１４】
上記アプリケーション選択部は、アプリケーションを固定した状態で一定時間経過した場合には、アプリケーションの固定を解除してもよい。
【００１５】
この構成によれば、上記のようにアプリケーションが固定された後、ユーザがＨＭＤを正面方向に戻し、一定時間が経過した場合には、表示部をアプリケーションの固定前の状態に戻すことが可能となる。
【００１６】
、
上記情報管理部は、上記検出方向が上記正面方向と異なるときに、各アプリケーションの出力画像をメニュー表示させ、上記アプリケーション選択部は、上記検出方向が上記正面方向と一致したときのアプリケーションを選択してもよい。
【００１７】
この構成によれば、ユーザは、メニュー表示を利用して出力画像を表示させたいアプリケーションを選択することが可能となる。メニュー表示やそれによるアプリケーションの選択は、ＨＭＤの方向によって実行されるため、ユーザは頭部を動かすだけで任意のアプリケーションを選択することが可能である。
【００１８】
以上のような事情に鑑み、本技術の一形態に係るヘッドマウントディスプレイ制御プログラムは、アプリケーション生成部と、情報管理部とを具備する。
上記アプリケーション生成部は、画像を表示することが可能な表示部と、ユーザの頭部に装着され上記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択する。
上記情報管理部は、上記アプリケーション選択部によって選択されたアプリケーションによって生成された画像を上記表示部に表示させる。
【００１９】
以上のような事情に鑑み、本技術の一形態に係るヘッドマウントディスプレイ制御方法は、アプリケーション選択部が、画像を表示することが可能な表示部と、ユーザの頭部に装着され上記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択する。
情報管理部が、上記アプリケーション選択部によって選択されたアプリケーションによって生成された画像を上記表示部に表示させる。
【発明の効果】
【００２０】
以上のように、本技術によれば、本技術の目的は、ユーザビリティの高いヘッドマウントディスプレイ、ヘッドマウントディスプレイ制御プログラム及びヘッドマウントディスプレイの制御方法を提供することが可能となる。
【図面の簡単な説明】
【００２１】
【図１】本技術の第１の実施形態に係るヘッドマウントディスプレイの外観を示す模式図である。
【図２】同ヘッドマウントディスプレイの機能的構成を示すブロック図である。
【図３】同ヘッドマウントディスプレイの動作を示すシーケンス図である。
【図４】同ヘッドマウントディスプレイの方向と表示されるアプリケーションの例を示す模式図である。
【図５】同ヘッドマウントディスプレイの方向とスライド表示されるアプリケーションの出力画像を示す模式図である。
【図６】同ヘッドマウントディスプレイのメニュー表示を示す模式図である。
【図７】本技術の第２の実施形態に係る機能的構成を示すブロック図である。
【図８】同ヘッドマウントディスプレイの動作を示すシーケンス図である。
【図９】同ヘッドマウントディスプレイに表示されるアプリケーションの遷移を示す模式図である。
【発明を実施するための形態】
【００２２】
（第１の実施形態）
第１の実施形態に係るヘッドマウントディスプレイ（以下、ＨＭＤ）について説明する。
【００２３】
［ヘッドマウントディスプレイの構成］
図１は、ＨＭＤ１００の外観を示す模式図であり、図２はＨＭＤ１００の機能的構成を示す模式図である。
【００２４】
図１に示すように、ＨＭＤ１００は、装具１０２、表示部１０３、筐体１０４を有する。表示部１０３と筐体１０４はともに装具１０２に支持されている。また、装具１０２には、イヤフォン１２１が設けられている。図２に示すように、筐体１０４には情報管理部１４１、アプリケーション選択部１４２及び検出部１４３が収容されている。
【００２５】
装具１０２は、ユーザの頭部に装着され、表示部１０３をユーザの眼前に支持する。装具１０２の形状は特に限定されず、図１に示すようなメガネ型形状の他にも表示部１０３の支持が可能なあらゆる形状のものとすることができる。
【００２６】
表示部１０３は、ユーザの眼前において画像を表示することが可能なディスプレイであり、外光を透過させることが可能な透過型ディスプレイであるものとすることができる。透過型ディスプレイには、カメラによって撮像した周囲の画像をディスプレイに表示することにより、周囲を視認することが可能となるビデオ透過型ディスプレイと、ディスプレイ自体が光透過性を有する光学透過型ディスプレイがある。本実施形態においては、いずれの透過型ディスプレイであってもよい。
【００２７】
表示部１０３は、筐体１０４に収容された情報管理部１４１に接続され、情報管理部１４１において生成された画像を表示することが可能に構成されている。表示部１０３に表示される画像の詳細については後述する。
【００２８】
筐体１０４は、情報管理部１４１、アプリケーション選択部１４２及び検出部１４３を収容する。情報管理部１４１及びアプリケーション選択部１４２は、プロセッサやメモリ等のハードウェアとプログラムの協働によって実現されている。詳細は後述するが、アプリケーション選択部１４２は、検出部１４３の出力に基づいてアプリケーションを選択し、情報管理部１４１は、選択されたアプリケーションによって生成された画像を表示部１０３に表示させる。
【００２９】
検出部１４３は、自身の方向（即ち、ＨＭＤ１００の方向）を検出し、その出力を情報管理部１４１を介してアプリケーション選択部１４２に供給する。ＨＭＤ１００の方向は、ＨＭＤ１００を装着したユーザが頭部あるいは身体の向きを動かした場合に変動する。検出部１４３は具体的には、加速度センサ、ジャイロセンサ及び地磁気センサによって構成されたモーションセンサであるものとすることができる。また、検出部１４３はモーションセンサに限られず、ＨＭＤ１００の方向を検出することが可能なもの、例えば、カメラによって撮像された周囲の画像に対する画像処理によってＨＭＤ１００の方向を検出するものとすることも可能である。
【００３０】
なお、本実施形態において、情報管理部１４１、アプリケーション選択部１４２及び検出部１４３は筐体１０４に収容されているものとしているが、これに限られない。例えば情報管理部１４１及びアプリケーション選択部１４２は別の情報処理装置（ＰＣ、スマートフォン等）に内蔵され、有線又は無線によって検出部１４３や表示部１０３と接続されているものとすることも可能である。
【００３１】
［ヘッドマウントディスプレイの動作］
以上のように構成されたＨＭＤ１００の動作について説明する。図３は、ＨＭＤ１００の動作を示すシーケンス図である。
【００３２】
ユーザがＨＭＤ１００を装着している状態で、アプリケーションＡの出力画像が表示部１０３に表示されているものとする。また、表示部１０３が透過型ディスプレイである場合には、表示部１０３になんらの画像も表示されず、ユーザが表示部１０３を通して外部を見ている状態であってもよい。このときのＨＭＤ１００の方向を「正面方向」と定義する。
【００３３】
情報管理部１４１は、所定時間毎に検出部１４３からＨＭＤ１００の方向を示すセンサ値を取得する。続いて、情報管理部１４１は、センサ値をアプリケーション選択部１４２に供給する。
【００３４】
アプリケーション選択部１４２は、センサ値に基づいてアプリケーションを選択する。具体的には、センサ値が「正面方向」の範囲に含まれている場合にはそのままアプリケーションＡを選択し、センサ値が「正面方向」の範囲を外れている場合（「非正面方向」とする）には別のアプリケーション（アプリケーションＢ）を選択するものとすることができる。
【００３５】
続いてアプリケーション選択部１４２は、選択したアプリケーションＢを情報管理部１４１に通知する。情報管理部１４１は、通知されたアプリケーションＢから表示画像を取得し、表示部１０３に表示させる。
【００３６】
以上の動作をユーザ側からみると次のようになる。即ち、ユーザがＨＭＤ１００を装着して電源を入れるか又は所定の操作入力を実行すると、そのＨＭＤ１００の方向が「正面方向」と定義される。このとき、表示部１０３には、アプリケーションＡの出力画像が表示されている。
【００３７】
ユーザがいずれかの方向に頭部を振り向けると、それにともなってＨＭＤ１００の方向も変更される。この際、ＨＭＤ１００の方向が正面方向の範囲を超える場合には、アプリケーションＡに代わってアプリケーションＢの出力画像が表示部１０３に表示される。したがって、ユーザは例えば、アプリケーションＡを動画再生アプリケーションとし、アプリケーションＢを時刻表示アプリケーションとして設定しておくと、動画再生中に頭部の向きを代え、ＨＭＤ１００を非正面方向に向けることにより時刻を確認することが可能となる。ユーザが頭部を正面方向に戻すと、再びアプリケーションＡの出力画像が表示部１０３に表示される。
【００３８】
また、表示部１０３が透過型ディスプレイである場合には、ＨＭＤ１００は、アプリケーションＡに替えて表示部１０３に何も表示しないものとすることも可能である。この場合、ユーザは、表示部１０３を透視して外部を見ている状態で、ＨＭＤ１００の方向を変えると、アプリケーションＢの出力画像を視認することが可能となる。
【００３９】
ＨＭＤ１００の方向を変えることにより出力画像を視認することが可能となるアプリケーション（上記アプリケーションＢ）の例としては、次のようなものが挙げられる。即ち、天気、時計、一行ニュース、株価、為替、スケジュール、カレンダー、フォトフレーム、オークション価格、検索急上昇ワード、現在地マップ・情報等のそれぞれの表示アプリケーション等である。
【００４０】
上述の説明においては、ＨＭＤ１００の方向が正面方向から非正面方向に変わると、アプリケーションＢの出力画像が表示部１０３に表示されるものとしたが、非正面方向への遷移方向毎に異なるアプリケーションの出力画像が表示部１０３に表示されるものとすることも可能である。図４は、ＨＭＤ１００の方向と、表示されるアプリケーションの例を示す模式図である。
【００４１】
アプリケーション選択部１４２は、ＨＭＤ１００が正面方向から右方向に向くとアプリケーションＢ、正面から左方向に向くとアプリケーションＣ、正面から上方向に向くとアプリケーションＤのように、それぞれの遷移方向に応じて異なるアプリケーションを選択するものとすることができる。これにより、ユーザは、頭部を様々な方向に向けることで、種々のアプリケーションの出力画像を見ることが可能となる。
【００４２】
また、上述の説明においては、ＨＭＤ１００の方向が正面方向の範囲を超えると、アプリケーションＢ等の出力画像が表示部１０３に表示されるものとしたが、この際、エフェクトが生じるようにすることも可能である。図５は、ＨＭＤ１００の方向と、表示部１０３の表示画像の例を示す模式図である。
【００４３】
情報管理部１４１は、アプリケーション選択部１４２によってアプリケーションＢが選択されると、ＨＭＤ１００の方向の程度に応じて、アプリケーションＢの出力画像を表示部１０３の画面外からスライドさせて表示させることができる。これにより、ユーザが頭部を振り向ける程度に応じて、アプリケーションＢの出力画像が次第に表示され、ユーザは自然に情報にアクセスしている感覚を得ることができる。
【００４４】
情報管理部１４１は、ＨＭＤ１００が正面方向に戻る際も同様に、アプリケーションＢの出力画像を表示部１０３の画面外へスライドさせて表示させることができる。また、情報管理部１４１は、ＨＭＤ１００の方向が正面方向の範囲を超えると、ＨＭＤ１００の方向の程度に拠らず、アプリケーションＢの出力画像を表示部１０３の画面外からスライドさせて表示させてもよい。
【００４５】
さらに、上述の説明においては、ＨＭＤ１００の方向に応じて表示部１０３に表示させるアプリケーションが選択されるものとしたが、この際にメニュー選択を利用することも可能である。図６は、メニュー選択の例を示す模式図である。
【００４６】
図６（ａ）に示すように、ＨＭＤ１００が正面方向から所定方向（例えば上方向）に向けられると、表示部１０３に複数のアプリケーションが並んで表示（メニュー表示）される。ユーザが首をかしげ、ＨＭＤ１００が傾けられると、図６（ｂ）に示すようにメニュー表示されているアプリケーションがスライドして表示される。ユーザは、重力に従ってメニューがスライドする感覚で直感的にアプリケーションを選択することが可能である。また、ＨＭＤ１００が所定方向（例えば右方向）に向けられるとアプリケーションがスライドして表示されてもよい。ユーザが首を戻し、ＨＭＤ１００が正面方向に向けられると、図６（ｃ）に示すようにアプリケーションが選択される。
【００４７】
以上のように本実施形態においては、ユーザは頭部を振り向けてＨＭＤ１００の方向を変えることにより、表示部１０３に表示させるアプリケーションを切り替えることが可能であり、ＨＭＤ１００は高いユーザビリティを有するものであるといえる。
【００４８】
（第２の実施形態）
第２の実施形態に係るヘッドマウントディスプレイ（ＨＭＤ）について説明する。本実施形態において、第１の実施形態と同様の構成については同一の符号を付し、説明を省略する。
【００４９】
［ヘッドマウントディスプレイの構成］
図７は第２の実施形態に係るＨＭＤ２００の機能的構成を示す模式図である。なお、ＨＭＤ２００の外観は第１の実施形態と同様とすることができる。
【００５０】
ＨＭＤ２００は、情報管理部２４１、アプリケーション選択部２４２及び検出部２４３に加え、タイマ２４４を有する。タイマ２４４は情報管理部２４１に接続され、情報管理部２４１からの要求を受けて時間のカウントを開始し、情報管理部２４１にタイマー値を返す。
【００５１】
アプリケーション選択部２４２は、第１の実施形態においては検出部２４３の出力であるセンサ値に基づいてアプリケーションを選択するものとしたが、本実施形態においてはセンサ値に加え、タイマ２４４の出力であるタイマ値に基づいてアプリケーションを選択する。
【００５２】
情報管理部２４１、アプリケーション選択部２４２及びタイマ２４４は、第１の実施形態と同様に筐体に収容されていてもよく、別の情報処理装置（ＰＣ、スマートフォン等）に内蔵され、有線又は無線によって検出部２４３や表示部２０３と接続されているものとすることも可能である。
【００５３】
［ヘッドマウントディスプレイの動作］
以上のように構成されたＨＭＤ２００の動作について説明する。図８は、ＨＭＤ２００の動作を示すシーケンス図である。
【００５４】
ユーザがＨＭＤ２００を装着している状態で、アプリケーションＡの出力画像が表示部２０３に表示されているものとする。また、表示部２０３が透過型ディスプレイである場合には、表示部２０３になんらの画像も表示されず、ユーザが表示部２０３を通して外部を見ている状態であってもよい。このときのＨＭＤ２００の方向を「正面方向」と定義する。
【００５５】
情報管理部２４１は、所定時間毎に検出部２４３からＨＭＤ２００の方向を示すセンサ値を取得する。続いて、情報管理部２４１は、センサ値をアプリケーション選択部２４２に供給する。さらに、アプリケーション選択部２４２は、タイマ２４４からタイマ値を取得する。
【００５６】
アプリケーション選択部２４２は、センサ値及びタイマ値に基づいてアプリケーションを選択する。具体的には、センサ値が「正面方向」の範囲を外れている場合（「非正面方向」）には別のアプリケーション（アプリケーションＢ）を選択する。センサ値が「正面方向」の範囲に含まれている場合には、タイマ値を参照し、タイマ値が所定時間を超えている場合にはアプリケーションＢを選択し、タイマ値が所定時間以下の場合にはアプリケーションＡを選択する。
【００５７】
アプリケーション選択部２４２は、アプリケーションの選択と同時にタイマ２４４に指示を出し、タイマをスタートさせる。上記アプリケーション選択部２４２がタイマ２４４からタイマ値を取得するステップにおいて取得されるタイマ値は、このときにスタートされたものである。即ち、アプリケーション選択部２４２は、所定時間にわたってアプリケーションＢが選択されている場合には、センサ値が「正面方向」の範囲である場合であってもアプリケーションＢを選択することになる。
【００５８】
即ち、ＨＭＤ２００が非正面方向に向けられ、アプリケーション選択部２４２がアプリケーションＢを選択している時間が所定時間継続すれば、それ以降ＨＭＤ２００が正面方向に戻されてもアプリケーションＡではなくアプリケーションＢが選択（固定）される。ＨＭＤ２００が非正面方向に向けられて所定時間経過した場合、ユーザはアプリケーションＢの出力画像を注視していると判断できるためである。
【００５９】
一方、アプリケーションＢが固定されている状態で、ＨＭＤ２００が正面方向に向けられ、所定時間が経過すると、アプリケーションＢの固定が解除され、元のアプリケーションＡが選択される。
【００６０】
続いてアプリケーション選択部２４２は、選択したアプリケーションＢを情報管理部２４１に通知する。情報管理部２４１は、通知されたアプリケーションＢから表示画像を取得し、表示部２０３に表示させる。
【００６１】
以上の動作をユーザ側からみると次のようになる。図９は、表示部２０３に表示されるアプリケーションの遷移を示す模式図である。ユーザがＨＭＤ２００を装着して電源を入れるか又は所定の操作入力を実行すると、そのＨＭＤ２００の方向が「正面方向」と定義される。このとき、表示部２０３には、アプリケーションＡの出力画像が表示されている（Ｔ１）。ユーザが頭部を正面方向に向けたままであれば、アプリケーションＡの出力画像の表示が継続される（Ｔ１→Ｔ１）。
【００６２】
ユーザがいずれかの方向に頭部を振り向けると、それにともなってＨＭＤ２００の方向も変更される。この際、ＨＭＤ２００の方向が正面方向の範囲を超える場合（「非正面方向」）には、アプリケーションＡに代わってアプリケーションＢの出力画像が表示部２０３に表示される（Ｔ１→Ｔ２）。所定時間経過前に、ＨＭＤ２００が正面に戻されると、再びアプリケーションＡの表示画像が表示される（Ｔ２→Ｔ１）
【００６３】
ここで、ユーザがＨＭＤ２００を、所定時間（タイマＵＰ時間）を超えて非正面方向に向けている場合には、上記のようにアプリケーションＢが固定される（Ｔ２→Ｔ３）。この状態で所定時間（タイマＵＰ時間）が経過すると、アプリケーションＢに代わってアプリケーションＡの出力画像が表示部２０３に表示される（Ｔ３→Ｔ５）。一方、所定時間経過前にＨＭＤ２００が正面方向に向けられると、アプリケーションＢは固定されているため、継続してアプリケーションＢの出力画像が表示部２０３に表示される（Ｔ３→ｔ４）。
【００６４】
ＨＭＤ２００が正面方向に向けられている状態で所定時間（タイマＵＰ時間）が経過すると、アプリケーションＢの固定が解除され、再びアプリケーションＡの出力画像が表示部２０３に表示される（Ｔ４→Ｔ１）。第１の実施形態と同様に、ＨＭＤ２００が別の非正面方向に向けられると、他のアプリケーション（アプリケーションＣ等）の出力画像が表示部２０３に表示される（Ｔ２→Ｔ２、Ｔ４→Ｔ２）。
【００６５】
ＨＭＤ２００の方向を変えることにより出力画像を視認することが可能となるアプリケーション（上記アプリケーションＢ）の例としては、第１の実施形態と同様である。即ち、天気、時計、一行ニュース、株価、為替、スケジュール、カレンダー、フォトフレーム、オークション価格、検索急上昇ワード、現在地マップ・情報等のそれぞれの表示アプリケーション等である。
【００６６】
本実施形態においては、ＨＭＤ２００が非正面方向に向けられている状態で所定時間が経過すると、表示中のアプリケーションが固定される。したがって、ユーザがそのアプリケーションの出力画像を注視したい場合に利便性が高い。なお、本実施形態においても第１の実施形態と同様に、メニュー表示による選択、スライドエフェクト等を適用することが可能である。
【００６７】
（変形例）
上記第１及び第２の実施形態において、アプリケーションの選択は、ＨＭＤの方向に基づいて実行されるものとしたが、さらにユーザの視線の情報が利用されるものとすることも可能である。具体的には、アプリケーション選択部が、上述したアプリケーションの固定や解除の際、ユーザの視線をジェスチャーとして利用すること等が考えられる。これにより、アプリケーションの選択にユーザの意図をより反映させやすくすることが可能となる。視線の認識は、例えば、ＨＭＤに設けられたカメラによって撮像されたユーザの眼球の画像に、画像処理を施すことによってすることが可能である。
【００６８】
また、アプリケーションの選択には、さらにＨＭＤの位置情報が利用されるものとすることも可能である。具体的には、アプリケーション選択部が、ＨＭＤが一定以上のスピードで移動（即ちユーザが移動）していることを検出した場合には、アプリケーションの選択を停止し、表示部に何も表示させないものとすることができる。これによりユーザの往来での危険を防止することができる。位置情報は、例えばＨＭＤに設けられたＧＰＳ（Global Positioning System）や加速度センサの出力等から取得することが可能である。
【００６９】
上記第２の実施形態において、アプリケーションの固定及び解除は、タイマによってカウントされるタイマＵＰ時間によって決定されるものとしたが、タイマＵＰ時間はＨＭＤの方向の変化速度によって決定されるものとすることも可能である。また、タイマＵＰ時間はアプリケーション毎に異なるものとすることも可能である。
【００７０】
また、アプリケーションの固定及び解除は、ＨＭＤに設けられた操作入力部（ボタン、タッチセンサ等）によってなされるものとすることも可能である。さらにアプリケーションの固定及び解除は、ユーザが頭部を動かすことによるジェスチャーによってなされてもよい。具体的は、例えば、ユーザがうなずくと固定、さらに上を向くと固定、首をかしげると固定、頭部を横に振ると解除、首をゆっくり戻すと固定されて付いてくる、正面で固定された状態で頭部を動かすと解除等である。
【００７１】
また、ユーザの視線情報によってアプリケーションの固定及び解除がなされてもよい。例えば、しばらく目を閉じると固定あるいは解除、目を閉じて首を戻すと固定、焦点が合うと固定、焦点が外れると開放、視線によるジェスチャー等である。さらに、手で払う、噛む、足踏み、ジャンプ等のユーザの身体的な動作よって固定あるいは解除がなされるものとすることも可能である。また、車や人が目の前に出てきたら解除する等、外部の状況に応じて固定あるいは解除がなされてもよい。
【００７２】
（応用例）
本技術に係るＨＭＤの応用例について説明する。
【００７３】
［辞書］
ユーザがＨＭＤを装着して書籍等の文章を閲覧している際に、ＨＭＤが正面方向に向けられている際には、表示部（透過型ディスプレイ）に何も表示されないが、ＨＭＤに設けられたカメラによって文字認識が実行され、文章中の単語が抽出されている。ＨＭＤが非正面方向に向けられると、辞書アプリケーションの出力結果（単語の意味や翻訳等）が表示部に表示される。ユーザの視線認識と組み合わせて、ユーザが注視している箇所の単語を抽出するようにしてもよい。
【００７４】
［字幕］
ＨＭＤが正面方向に向けられている際には、表示部に映画等の動画が表示されており、ＨＭＤが非正面方向に向けられると、動画の再生箇所に応じた字幕が表示される。なお、ＨＭＤが正面方向に向けられている際には表示部（透過型ディスプレイ）に何も表示されず、ユーザは表示部を透過して実際の動画を閲覧していてもよい。この場合、字幕は、画像認識により、あるいはネットワークを介して取得される。
【００７５】
［学習］
ＨＭＤが正面方向に向けられている際には、表示部に「問題」が表示されている。ＨＭＤが非正面方向に向けられると、その問題の解答やヒントが表示部に表示される。例えば、ＨＭＤが正面方向から上方向に向けられると問題のヒントが表示され、正面から下方向に向けられると問題の解答が表示されるものとすることができる。
【００７６】
［通知］
ＨＭＤが正面方向に向けられている際には、表示部に何も表示されず、あるいは何らかのアプリケーションの出力画像が表示されている。電子メールやＳＮＳ（social networking service）が受信されると、その通知が表示部に表示される。ユーザがＨＭＤを非正面方向に向けると、電子メールやＳＮＳのメッセージが表示部に表示される。メッセージは表示部の全体ではなく端部にのみ表示されてもよい。また、例えば、新着メールがない場合には、ＨＭＤが非正面方向に向けられても表示部の表示を変更しないものとすることもできる。
【００７７】
［後方確認］
ＨＭＤが正面方向に向けられている際には表示部に何も表示されず、ユーザは表示部（透過型ディスプレイ）を透過して前方を視認することができる。ＨＭＤが非正面方向に向けられると、搭載されたカメラによって撮像されている後方の画像が表示部に表示される。後方の画像は、動き認識が実行され、動いているものが強調表示されたものであってもよく、サーモグラフィ画像であってもよい。また、これらの各種画像が正面方向から非正面方向への遷移方向によってそれぞれ表示されるものとすることも可能である。
【００７８】
［作業支援］
ＨＭＤが正面方向に向けられている際には表示部に何も表示されず、ユーザは表示部（透過型ディスプレイ）を透過して前方を視認することができる。ＨＭＤが非正面方向に向けられると、作業手順（料理のレシピ等）が表示部に表示される。ＨＭＤが正面方向に向けられているときには作業手順が表示されないため、ユーザの作業を妨げない。
【００７９】
［その他］
ＨＭＤの方向によって、シソーラス（単語を関係性に応じて配置した図）における表示範囲を移動させ、ユーザが関連語を検索しやすくする。あるいは、ＨＭＤの方向によって天文図における表示範囲を移動させ、ユーザによる疑似天文観察を可能とする。また、ＨＭＤの方向によって仮想的なゲーム版を傾けるゲームを提供することも可能である。
【００８０】
本技術は、上記各実施形態にのみ限定されるものではなく、本技術の要旨を逸脱しない範囲内において変更することが可能である。
【００８１】
なお、本技術は以下のような構成も採ることができる。
【００８２】
（１）
画像を表示することが可能な表示部と、
ユーザの頭部に装着され、上記表示部をユーザの眼前に支持する装具と、
予め指定された正面方向を基準とする方向を検出方向として検出する検出部と、
上記検出方向に基づいてアプリケーションを選択するアプリケーション選択部と、
上記アプリケーション選択部によって選択されたアプリケーションによって生成された画像を上記表示部に表示させる情報管理部と
を具備するヘッドマウントディスプレイ。
【００８３】
（２）
上記（１）に記載のヘッドマウントディスプレイであって、
上記表示部は、透過型ディスプレイであり、
上記情報管理部は、上記検出方向が上記正面方向と異なるときに、上記画像を上記表示部に表示させる
ヘッドマウントディスプレイ。
【００８４】
（３）
上記（１）又は（２）に記載のヘッドマウントディスプレイであって、
上記アプリケーション選択部は、上記正面方向から上記検出方向への遷移方向に応じて異なるアプリケーションを選択する
ヘッドマウントディスプレイ。
【００８５】
（４）
上記（１）から（３）のうちいずれか一つに記載のヘッドマウントディスプレイであって、
上記アプリケーション選択部は、上記検出方向が上記正面方向と異なる方向で一定時間経過した場合には、選択されているアプリケーションを固定する
ヘッドマウントディスプレイ。
【００８６】
（５）
上記（１）から（４）のうちいずれか一つに記載のヘッドマウントディスプレイであって、
上記アプリケーション選択部は、アプリケーションを固定した状態で一定時間経過した場合には、アプリケーションの固定を解除する
ヘッドマウントディスプレイ。
【００８７】
（６）
上記（１）から（５）のうちいずれか一つに記載のヘッドマウントディスプレイであって、
上記情報管理部は、上記検出方向が上記正面方向と異なるときに、各アプリケーションの出力画像をメニュー表示させ、
上記アプリケーション選択部は、上記検出方向が上記正面方向と一致したときのアプリケーションを選択する
ヘッドマウントディスプレイ。
【００８８】
（７）
画像を表示することが可能な表示部と、ユーザの頭部に装着され上記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択するアプリケーション選択部と、
上記アプリケーション選択部によって選択されたアプリケーションによって生成された画像を上記表示部に表示させる情報管理部と
を具備するヘッドマウントディスプレイ制御プログラム。
【００８９】
（８）
アプリケーション選択部が、画像を表示することが可能な表示部と、ユーザの頭部に装着され上記表示部をユーザの眼前に支持する装具とを有するヘッドマウントディスプレイに搭載された検出部であって、予め指定された正面方向を基準とする方向を検出方向として検出する検出部によって検出された検出方向に基づいてアプリケーションを選択し、
情報管理部は、上記アプリケーション選択部によって選択されたアプリケーションによって生成された画像を上記表示部に表示させる
ヘッドマウントディスプレイの制御方法。
【符号の説明】
【００９０】
１０２…装具
１０３、２０３…表示部
１０４…筐体
１２１…イヤフォン
１４１、２４１…情報管理部
１４２、２４１…アプリケーション選択部
１４３、２４３…検出部
２４４…タイマ
１００、２００…ＨＭＤ
【図２】
0005880115.tif 000002
【図３】
0005880115.tif 000003
【図４】
0005880115.tif 000004
【図５】
0005880115.tif 000005
【図６】
0005880115.tif 000006
【図７】
0005880115.tif 000007
【図８】
0005880115.tif 000008
【図９】
0005880115.tif 000009
【図１】
0005880115.tif 000010